(57)【要約】【課題】  表示性能に優れ、かつ、屋外においても支障なく使用できるＬＥＤ発光体を用いた照光表示パネルを提供する。【解決手段】  表面に表示用模様５が付設された透明の樹脂パネル７と、樹脂パネル７の側面に沿って配置され、その発光を樹脂パネル７内に照射するＬＥＤ発光体１０と、樹脂パネル７の両面に沿って積層配置される一対のガラスパネル９と、樹脂パネル７とガラスパネル９との積層体２の周囲に沿って配置される吸湿材１５と、が備えられてなる照光表示パネル。【選択図】図２
0003128922.tif 000002
【実用新案登録請求の範囲】
【請求項１】
表面に表示用模様が付設された透明の樹脂パネルと、
前記樹脂パネルの側面に沿って配置され、その発光を前記樹脂パネル内に照射するＬＥＤ発光体と、
前記樹脂パネルの両面に沿って積層配置される一対のガラスパネルと、
前記樹脂パネルと前記ガラスパネルとの積層体の周囲に沿って配置される吸湿材と、
が備えられてなることを特徴とする照光表示パネル。
【請求項２】
前記吸湿材が、弾力的に変形可能な構成である請求項１記載の照光表示パネル。
【考案の詳細な説明】
【技術分野】
【０００１】  この考案は、ＬＥＤ発光体を用いた照光表示パネルに関する。
【背景技術】
【０００２】  アクリル樹脂等よりなる透明のパネル表面に表示模様を刻印形成し、側面から複数個のＬＥＤによりパネル内に光を照射し、その表示模様を乱反射により光らせて表示を行う照光表示パネルが知られている。最近ではＬＥＤとして表示に好適な豊富な色のものが得られるようになり、これに伴って広告等にこの種の照光表示パネルが汎用されるようになっている。
【考案の開示】
【考案が解決しようとする課題】
【０００３】  しかしながら、従来のこの種製品は、樹脂パネルよりなるので表面に小さな傷が付きやすく、照光表示が良好に行われないという問題があった。また耐候性に劣るので、風雨にさらされる屋外での使用には適していなかった。【０００４】  この考案では、表示性能に優れ、かつ、屋外においても支障なく使用できるＬＥＤ発光体を用いた照光表示パネルを提供することを目的とする。
【課題を解決するための手段】
【０００５】  この考案では、表面に表示用模様が付設された透明の樹脂パネルと、前記樹脂パネルの側面に沿って配置され、その発光を前記樹脂パネル内に照射するＬＥＤ発光体と、前記樹脂パネルの両面に沿って積層配置される一対のガラスパネルと、前記樹脂パネルと前記ガラスパネルとの積層体の周囲に沿って配置される吸湿材と、が備えられてなることを特徴とする照光表示パネルを提供する。【０００６】  上記構成の照光表示パネルによれば、ＬＥＤ発光体が発光して樹脂パネル内に光が照射されることで表示模様部分が乱反射して表示機能を果し、これがガラスパネルを通して外部に表示される。【０００７】  この考案の照光表示パネルは、広告パネルの他にドアパネルや窓パネルとして汎く用いられ、表面がガラスパネルにより覆われていることで傷が付きにくいとともに、耐候性に優れるので屋外でも支障なく使用できる。ガラスパネルとしては強度が大である強化ガラスを用いることが好ましい。【０００８】  さらに、樹脂パネルとガラスパネルとの積層体の周囲に吸湿材が設けられていることで、樹脂パネルとガラスパネルとの積層隙間部分は常に乾燥状態に保たれる。その結果、その積層隙間部分に結露が発生しないことで常に全体が曇りのない状態に維持されて、表示模様部分による表示が明瞭になされる。吸湿材は、樹脂パネルとガラスパネルとの積層隙間部分を乾燥状態とする機能を果すならば、適宜成分、適宜形態のものが、樹脂パネルとガラスパネルとの積層体の周囲の適宜位置に設けられればよい。【０００９】  例えば、吸湿材として弾力的に変形可能な構成であるものを用いれば、次の作用効果が発揮される。すなわち、外気温度変化等により各種構成部材の膨張率の差に基づいてその装着スペースの容量が変化した際、吸湿材はその容量変化に対応して弾力的に変形することで装着スペース内に密封状態に装着される。これにより照光表示パネルは常にガタツキのない構成に維持されるとともに、外部から隙間を通し内部への水分や埃等の侵入が阻止されることで、照光表示パネルは劣化が防止され、かつ、良好な表示がなされる。
【考案の効果】
【００１０】  この考案によれば、表示性能に優れ、かつ、屋外においても支障なく使用できるＬＥＤ発光体を用いた実用性に優れる照光表示パネルが得られる。
【考案を実施するための最良の形態】
【００１１】  図１はこの考案の照光表示パネルの実施形態の外観斜視図、図２は同分解斜視図、図３は同断面図である。【００１２】  照光表示パネル１は、表示パネル体２の周囲に枠体３が装着されて構成されている。表示パネル体２は、一方側表面の一部に表示模様５が刻印付設された透明のアクリル樹脂よりなる樹脂パネル７と、その樹脂パネル７の両面に沿って積層配置される一対の強化ガラスパネル９とからなる。強化ガラスパネル９としては樹脂パネル７より大きいものを使用し、これにより積層状態においては樹脂パネル７の周囲に強化ガラスパネル９それぞれにより挟まれるスペースＳが形成される。【００１３】  １０は複数個のＬＥＤ１２が一体に並設されて構成されるＬＥＤ発光体で、上記表示模様５に対応する位置において樹脂パネル７の側面に沿って上記スペースＳ内の一部に配置され、強化ガラスパネル９面に接着固定されて設けられている。【００１４】  １５のそれぞれはシリカゲル等の吸湿粉剤が表面に付着されたウレタンゴムよりなる吸湿材であり、表示パネル体２である樹脂パネル７と強化ガラスパネル９との積層体の周縁に沿って上記スペースＳ内に配置され、その外周が枠体３で押さえられて位置決め固定されている。【００１５】  上記構成の照光表示パネル１は、ＬＥＤ発光体１０が発光して樹脂パネル７内に適宜色の光が照射されることで、表示模様５部分が乱反射して着色表示機能を果し、これが強化ガラスパネル９を通して外部に表示されるもので、広告パネルやドアパネル、窓パネルとして用いられる。その表面は強化ガラスパネル９により覆われていることで傷が付きにくいとともに、耐候性に優れるので屋外でも支障なく使用できる。【００１６】  さらに、表示パネル体２の周囲部に吸湿材１５が設けられていることで樹脂パネル７と強化ガラスパネル９それぞれとの積層隙間２０それぞれの部分は常に乾燥状態に保たれ、これにより、外気温度が変化する場合にもそこに結露は発生せず、その結果、常に表示パネル体２全体が曇りのない状態に維持され、表示模様５部分による表示が明瞭となる。【００１７】  なお、外気温度変化に際しては、金属や樹脂よりなる枠体３、樹脂パネル７、強化ガラスパネル９はそれらの熱膨張係数の違いによりそれぞれの部材が異なる量において伸縮し、スペースＳもその容量を若干変化させることとなる。この実施形態においては吸湿材１５を弾性変形可能なウレタンゴムより構成していることで、その容量変化に対応して常にスペースＳ内の全体にわたって密着状態に装着されるようにしている。このようにして照光表示パネル１を常にガタツキのない構成に維持するとともに、外部から隙間を通して内部に水分や埃等の侵入しないようにし、照光表示パネル１の耐候性を高め、かつ、良好な表示がなされるようにしている。【００１８】  図４は他の実施形態の断面図であり、このものでは枠体３に形成される通気穴３０を持つ充填スペース３２内に吸湿材１５である吸湿粉剤を充填する構成としており、このような構成とすることで、吸湿材１５の取り替え（図示しない充填開口を通して行う）が容易に行われるようにしている。
【図面の簡単な説明】
【図１】  この考案の照光表示パネルの実施形態の外観斜視図
【図２】  この考案の照光表示パネルの実施形態の分解斜視図
【図３】  この考案の照光表示パネルの実施形態の端面図
【図４】  この考案の照光表示パネルの他の実施形態の要部拡大端面図
【符号の説明】
１  照光表示パネル
５  表示模様
７  樹脂パネル
９  強化ガラスパネル
１０  ＬＥＤ発光体
１５  吸湿材
【図１】
0003128922.tif 000003
【図２】
0003128922.tif 000004
【図３】
0003128922.tif 000005
【図４】
0003128922.tif 000006